(57)【要約】【課題】本発明の一目的は伝統的な紙のブック後にモデル化された電子広告の優れた方法およびシステムを提供することである。【解決手段】ブック状のページベースのフリッピングインターフェースを有するインターネットブラウザのための電子広告方法およびシステムである。コンピュータスクリーンで提示されるフルページの電子広告は他の内容の観察および読取りを妨害せずに可能である。これは観察者と広告業者との両者に有益である。広告整合／転送システムは広告を内容中に挿入する優れた方法と、関係するパーティ間で収益を分配する優れた方法を提供する。【選択図】図４
2006350331.tif 000002
【特許請求の範囲】
【請求項１】
広告を電子コンテンツに電子的に挿入する方法であって、
前記コンテンツを複数のコンテンツ部分に順次構成するステップと、
前記複数のコンテンツ部分をブラウズ可能な電子ブックの１以上のフリッピングページに配分するステップと、
埋め込み広告を有するフリッピングページを構成するため、前記１以上のフリッピングページ内の広告位置に広告を動的に挿入するステップと、
前記埋め込み広告を有するフリッピングページを表示するステップと、
から構成されることを特徴とする方法。
【請求項２】
請求項１記載の方法であって、さらに、前記広告の広告位置の周囲の前記コンテンツの一部を再構成するステップを有することを特徴とする方法。
【請求項３】
請求項１記載の方法であって、
前記広告位置は、１ページのフリッピングページと複数のフリッピングページの少なくとも１つからなることを特徴とする方法。
【請求項４】
請求項１記載の方法であって、さらに、
前記広告に対して、前記コンテンツの広告位置を確保するステップを有することを特徴とする方法。
【請求項５】
請求項１記載の方法であって、
前記広告は、各コンテンツ部分の長さに等しくなるよう構成されることを特徴とする方法。
【請求項６】
請求項１記載の方法であって、
前記広告は、複数のコンテンツ部分の長さに等しくなるよう構成されることを特徴とする方法。
【請求項７】
請求項１記載の方法であって、
前記広告は、各コンテンツ部分の長さより長くなるよう構成されることを特徴とする方法。
【請求項８】
請求項１記載の方法であって、
前記表示するステップは、前記埋め込み広告を有するフリッピングページをブラウズ可能な電子ブックに表示することを特徴とする方法。
【請求項９】
請求項８記載の方法であって、
前記電子ブックの表示は、前記コンテンツ内の前記埋め込み広告を有するフリッピングページの相対的な位置を示すよう構成される厚さインジケータを有することを特徴とする方法。
【請求項１０】
請求項９記載の方法であって、さらに、
前記厚さインジケータを作動させることによって、前記電子ブックの表示内の選択された位置に移行するステップを有することを特徴とする方法。
【請求項１１】
請求項１記載の方法であって、さらに、
あるコンテンツ部分をブックマークするステップを有することを特徴とする方法。
【請求項１２】
請求項１記載の方法であって、さらに、
前記広告と前記コンテンツとの間の所定の関連性に基づき、前記広告を選択するステップを有することを特徴とする方法。
【請求項１３】
請求項１２記載の方法であって、
前記選択するステップは、前記表示するステップの実行中に実行されることを特徴とする方法。
【請求項１４】
請求項１記載の方法であって、さらに、
前記広告を含む前記コンテンツを１単位として格納するステップを有することを特徴とする方法。
【請求項１５】
請求項１記載の方法であって、さらに、
前記コンテンツと前記広告の少なくとも一方を複数のウェブページの少なくとも１つからダウンロードするステップを有することを特徴とする方法。
【請求項１６】
請求項１記載の方法であって、
前記１以上のフリッピングページは、少なくとも２つのフリッピングページを有し、
前記挿入するステップは、前記２つのフリッピングページの間に、ウェブページと電子ブックのページの少なくとも１つを有する広告を挿入する、
ことを特徴とする方法。
【請求項１７】
コンテンツのシーケンシャル電子ディスプレイであって、
１以上のフリッピングページを有するブラウズ可能な電子ブックと、
１つのディスプレイ上に同時に表示される少なくとも２つのコンテンツ部分と、
前記コンテンツ内における前記少なくとも２つの表示されたコンテンツ部分の位置のインジケータと、
から構成され、
前記少なくとも２つのコンテンツ部分の１つは、前記１以上のフリッピングページ内の広告位置に動的に挿入される広告を有することを特徴とするディスプレイ。
【請求項１８】
請求項１７記載のディスプレイであって、
前記広告は、前記少なくとも２つのコンテンツ部分の１つの全体から構成されることを特徴とするディスプレイ。
【請求項１９】
請求項１７記載のディスプレイであって、
前記少なくとも２つのコンテンツ部分の第２部分は、第２の広告から構成されることを特徴とするディスプレイ。
【請求項２０】
請求項１９記載のディスプレイであって、
前記第２の広告は、前記少なくとも２つのコンテンツ部分の第２部分の全体から構成されることを特徴とするディスプレイ。
【請求項２１】
請求項２０記載のディスプレイであって、
前記広告と前記第２の広告は、同一の広告業者からのものであることを特徴とするディスプレイ。
【請求項２２】
請求項１７記載のディスプレイであって、さらに、
前記コンテンツ内のあるコンテンツ部分を示すブックマークを有することを特徴とするディスプレイ。
【請求項２３】
請求項１７記載のディスプレイであって、さらに、
前記表示される少なくとも２つのコンテンツ部分の間に綴じ表示を有することを特徴とするディスプレイ。
【請求項２４】
請求項１７記載のディスプレイであって、
前記コンテンツは、複数のウェブページからのコンテンツから構成されることを特徴とするディスプレイ。
【請求項２５】
請求項２４記載のディスプレイであって、
前記広告は、ウェブページと電子ブックのページの少なくとも１つから構成されることを特徴とするディスプレイ。
【請求項２６】
コンテンツの電子ディスプレイであって、
前記コンテンツを１以上のフリッピングページに構成する手段と、
広告を含む前記コンテンツ内の広告位置の該広告を１以上のフリッピングページに動的に挿入する手段と、
前記コンテンツを複数のコンテンツ部分に分割する手段と、
ブラウズ可能な電子ブックの１以上のフリッピングページ内の前記複数のコンテンツ部分の少なくとも２つを表示する手段と、
から構成されることを特徴とするディスプレイ。
【請求項２７】
コンピュータシステム上での実行のため、
コンテンツを１つのディスプレイに同時に表示される以上のフリッピングページに順次構成する手段と、
前記コンテンツ内の広告位置の広告を１以上のフリッピングページに動的に挿入する手段と、
前記コンテンツを複数のコンテンツ部分に分割する手段と、
ブラウズ可能な電子ブックの１以上のフリッピングページに前記複数のコンテンツ部分の少なくとも２つを表示する手段と、
から構成されるプログラム命令を有するコンピュータ可読媒体。
【発明の詳細な説明】
【技術分野】
【０００１】
本発明はブック状のフリッピングページベースのインターフェースによりインターネットブラウザを使用して広告するためのシステムおよび方法に関する。本発明は一方でユーザに対する良好な広告観察／読取り経験と、他方で広告業者に対するさらに効率的な広告配送とを行うブック状インターフェースを利用する。同時に、このインターフェースと接続して優れた広告整合および転送モデルが可能になり、内容プロバイダと広告業者を一致する新しい方法と、関係するパーティ間の収益の分配方法を提供する。
【０００２】
本出願は２０００年６月１４日出願の米国特許第０９／６１７，０４３号明細書および１９９７年１２月１８日出願の米国特許第０８／９９２，７９３号明細書と、米国特許第５，９０９，２０７  号明細書と、米国特許第６，０６４，３８４  号明細書に関連し、これら全てをここで参考文献とする。
【背景技術】
【０００３】
現在、インターネットで利用可能な文書は通常“ハイパーテキスト”のフォーマットで表される。各ハイパーテキストの“ページ”は随意の長さであり、これは１つのコンピュータモニタスクリーン内に適合されてもされなくてもよい。ハイパーテキストのページは“ハイパーリンク”によりリンクされ、ハイパーテキストの各ページには、（例えばコンピュータマウス等の入力装置により）選択およびクリックされたときハイパーテキストがリンクされているハイパーテキスト文書がモニタスクリーンに現される画像またはワードの形態の１以上の“リンク”がある。換言すると、新しいページのテキストは早期のハイパーテキストページと置換される。これは例えば２つの最もポピュラーなインターネットブラウザ、即ちマイクロソフトインターネットエクスプローラ（商標名）およびネットスケープコミュニケータ（商標名）機能による機構である。
【０００４】
１つのスクリーンよりも長いおよび、または大きいハイパーテキストページを観察するために、ページの上下（および／または左右）のスクロールをするか、または（例えばスクリーンで表示されるページのエッジに存在するスクロールバーに結合するコンピュータマウスの使用により）ページ中の特定点へジャンプする１以上の機構が設けられている。幾つかの実施形態では、ハイパーテキストページ中の１つの位置のハイパーリンクは同一ページの別の位置を指し、ハイパーリンクがクリックされるとき、目的地セクションが観察できるようになる。
【０００５】
しかしながら、ヒューマンコンピュータインターフェースの研究ではこれらのハイパーテキスト／ハイパーリンクは多数の問題を有することがよく知られている。これらの中でも主要な問題は、ナビゲーション問題であり、これは幾つかのページをカバーするハイパーテキスト／ハイパーリンクの集合体の読者が頻繁にハイパーテキストページのナビゲーション中に迷子になることである。換言すると、彼／彼女はハイパーテキスト／ハイパーリンクの集合体の表示されたセクションが全体的なハイパーテキスト／ハイパーリンクの集合体の内容に関してどこに存在するか、ハイパーテキスト／ハイパーリンクに存在するその他の内容は何であるか、その他の内容はハイパーテキスト／ハイパーリンクの集合体の内容全体に関してどこに存在するか、ハイパーテキスト／ハイパーリンクの集合体の１つのセクションからその集合体の別のセクションの表示の変更方法を知らないことがしばしば生じることである。
【０００６】
インターネットサーファー（インターネット文書を読む人々）についての別の欠点は、“前進”および“後進”ボタンが（マイクロソフトのインターネットエクスプローラ（商標名）またはネットスケープのコミュニケータ（商標名）等の）インターネットブラウザで利用可能であるにもかかわらず、しばしば特定のハイパーテキストページに戻ることが困難であることである。ハイパーテキストページは特定ではない連続的または順序付けされたマルチレベル組織と多数のリンクによりリンクされているので、これらの２つの簡単なコマンドは読者がこれらのページ間の直接的なリンクにしたがわないとき、１つのページから別のページへの移行を困難にする。換言すると、このような組織のない集合体における“前進”および“後進”ボタンは連続的な前方−後方組織を仮定する。したがってインターネットサーファーは文書中を移動するための簡単なコマンドだけを使用して複雑な組織の構造の文書を読もうとするときしばしば迷子になる。
【０００７】
他方で、情報の順次連続的な組織は伝統的なブックで見られ、ページは次から次へと順次連続的にリンクされている。ブックのサイドからページを選択し、そのページをめくる（フリップする）ことによる等の、多数のページにまたがるジャンプのための機構が利用可能であるが、ブック中の情報は依然として順序付けられた連続的な方法でレイアウトされている。また、読者／ブラウザは彼／彼女がブックのどこにいるかを良好に理解しながら、任意のランダムな順序で任意の時にブックの任意の場所にジャンプでき、それはフリッピングとジャンプのプロセスでは、選択されたページの両側のブックの厚さとフリッピングプロセス期間に関する位置情報が捕捉されるためである。ページのフリッピングは文書を通って移動する方向と文書中で移動している程度を知ることを可能にする。任意の所定の時間に存在する場所を知る利点は、ナビゲーション問題を全体的に皆無にしないとしても、その問題を非常に軽減する。
【０００８】
さらに、ブックのフリッピングによりブック中の全ての情報の概要を非常に迅速かつ容易に得ることができる。他方で、１０００ページのハイパーテキスト／ハイパーリンクの集合体をブラウジングするときに、その人が迷子になるだけではない。さらに、このような個々の人はこのような集合体の情報内容の概観を得るのが困難である。
【０００９】
したがって、ハイパーテキストに関する大きな欠点、即ちナビゲーション問題は伝統的なブックには存在しない。人は１０００ページのブックを拾い読み（ブラウズ）することができ、さらに自分自身が見ている場所と、他に何がそのブックに存在するか、１つの点から別の点へどのように移動するかを適切に知ることができる。
【００１０】
結果として、インターネットで多量の情報をブラウズする人々はしばしば紙面にハイパーテキストページをプリントアウトすることを好み、これらのシートを手に持ち、問題の情報を探して読むためにブックを拾い読みする方法と非常に類似した方法でそれらを拾い読みする。
【００１１】
読者／ブラウザとブック中の印刷物との対話は微妙で複雑なアクティビティである。まず始めに、ブックの内容はページからページへ内容が連続して連続的な順序で示され、また（例えば内容が章、セクション、サブセクション等に組織されている）示されている内容には階層構造が存在し、それは内容の考えが幾つかの種類の概念的な階層で相互に関連されているからである。人間の知覚系は順次連続的な方法でこのデータを入力し、ブックが最初から最後まで連続的な方法で読まれた後、脳は含まれている内容を観察後に概念の階層を再生成する。しかしながら、非常に多くの場合には、最初から最後までブックを読まない（または含まれている内容を入力せず）。それは人々が（ａ）存在する内容の概要を知ることを望み、（ｂ）関心のある特定のアイテムを検索し、または（ｃ）（例えばあるものを動作する方法を理解するためにマニュアルを読む場合には）ブックの特定の部分だけを読むことに興味をもつからである。これらの場合、その読者に特別な興味のある内容を見つけるためそのブックのサブジェクトをブラウズする。
【００１２】
２つの基本的なことがブラウジングプロセスで行われる。第１に、ブラウザがブックの文書の内容が何であるかを把握することである。第２に、ブラウザは問題とするアイテムがどこにあるかをほぼ知っており、それによってブラウザは（ａ）後で必要なときにそれらを探すために戻り、（ｂ）現在観察されている内容と他の内容との関係を理解（即ち含まれている階層構造を理解）できる。ブックの文書をブラウジングするとき、ページにわたりフリップするためにブラウザの多数の指の動作が必要とされる。このページのフリッピングの機械的な動作はページが有する固有の連続順序と共に、迅速にブックの内容の特性、位置、組織をブラウザが理解することを可能にする。
【００１３】
同様に、インターネットで利用可能な多量の情報は通常ブックで見られる組織的構造、例えば情報の連続的なページ毎の組織から利点を得ることができる。これらの組織構造は次の２つの主要な利点を生じる。即ち、１．ナビゲーション問題が著しく減少され、例えばこれらはブラウザがテキストの特定の部分が文書の内容全体に関してどこに存在するか、その文書に他のどんな情報が存在するか、ハイパーテキストページをブラウジングする場合に情報の１セクションから次のセクションへ移動する方法を知ることを可能にし、２．文書の内容の概要を良好に把握することが可能になる。
【００１４】
情報の連続的な組織化はハイパーテキスト文書で利用可能なハイパーリンク機構を置換することを意図するものではない。代わりにそれに対して補足するものである。順次連続的な方法でページをリンクさせることを除いて、また“ブック状”の表示の厚さを表示することによってそれらをランダムにアクセス可能にすることを除いて、ハイパーリンク機構は維持され、ブラウジングプロセスを改良する。ハイパーリンクの利点は、ユーザが非常に迅速に内容の１つの部分から内容の別の関連する部分へ移動できることである。しかしながら、ブック状の、ページベースの順次組織では、ハイパーリンクが選択されトリガーされるとき、内容の新しい部分へ行くプロセスは物理的なプロセスをエミュレートする。例えばハイパーリンクの位置とハイパーリンクにより指示される位置との間の情報量に比例するページ数をスクリーンを横切って移動することを示すフリッピングアニメーションが存在する。これはユーザが読んでいる内容、読もうとしている内容がハイパーテキスト／ハイパーリンク内のどこに位置するかを知ることを容易にし、伝統的なハイパーリンクのプロセスと結合して、情報の検索プロセスを容易にする。
【００１５】
ハイパーテキストのリンク機構は幾つかの方法ではブックの終末部で通常見られる伝統的なインデックスの電子バージョンである。問題とする特定のキーワードまたはトピックに興味をもつとき、終末部のインデックスへフリップし、そこから関連するキーワードまたはトピックを含んでいる別のページへ移動してもよい。この２段階のプロセス、即ち最初にインデックスページへ行き、その後目的地のページに行くことはハイパーリンク機構では１ステップで実現される。しかしながら物理的な紙のブックの場合とは異なって、電子ハイパーテキストリンクプロセスでは新しい内容の部分へ移動するためにページを物理的にフリップする必要はない。その代わりに電子的な“飛越し”は苦労がなく瞬間的である。
【００１６】
さらに、その広告の配置およびタイプに関するハイパーテキスト／ハイパーリンク集合体と、その広告の配置およびタイプに関する文書の伝統的なブック（または雑誌）表示との間には大きな違いが存在する。ハイパーテキスト／ハイパーリンク集合体では、ページに現れる広告は稀であり、ある場合にはページの寸法またはコンピュータスクリーン上の観察可能な領域の寸法に関して寸法を調節できる。それ故、広告はウェブページ上で“バナー”として最も普通に現れる。しかしながら、伝統的な紙のブックまたは雑誌では、広告はしばしばフルページとして、およびしばしばフルページの連続として現れる。伝統的な紙のブックまたは雑誌のページ上の広告が特にフルページの広告の場合に読取りおよびブラウジングプロセスを妨害または困難にしても、これはブック状の表示によりやや緩和され、ユーザにより許容される。これはハイパーテキストの広告と非常に対照的であり、ハイパーテキストウェブページ上のフルページまたは多数の連続的なフルページの広告は多数のウェブ読者には煩わしい。
【００１７】
フルページまたは多数の連続するフルページの広告がブック状の表示の読者に許容される理由は、フリッピングページ、ブック状のインターフェース（伝統的な紙のブックおよび特別な種類のフリッピングのインターフェース、２０００年６月１４日出願の米国特許第０９／６１７，０４３号明細書、１９９７年１２月１８日出願の米国特許第０８／９９２，７９３号明細書に記載されているブック状のインターネットブラウザと、米国特許第６，０６４，３８４  号明細書に記載されている特別な種類のブック状の人間コンピュータインターフェース等）が３次元効果を生成するからである。ユーザは（紙のブックの場合にページで直接手を使うか、２０００年６月１４日出願の米国特許第０９／６１７，０４３号明細書に記載されている特別なインターネットブラウザの場合にはマウス等の入力制御装置を使用して）これらの“邪魔な”ページを非常に容易にフリップできると感じる。
【００１８】
したがって、ブック状の表示は電子広告のための新しい方法およびシステムを提供する。この新しい方法およびシステムと対照的に、スクローリングまたはハイパーテキスト／ハイパーリンク集合体による伝統的な広告は広告業者の視点からは非常に限定的である。
【００１９】
広告は現代の商業では必要な要素である。矛盾する問題が広告に関係して存在し、１．広告業者はメッセージを消費者へ転送しようとし、それにより消費者の注目が得られる必要があり、２．広告業者は消費者の読み／観察のアクティビティを妨害し消費者を悩ませるやり方またはそれに相当する程度で広告を提示してはならないという事実を含んでいる。
【００２０】
インターネットにおける現在の広告方法は非常に限定的である。広告業者は前に説明したように“バナー”広告を表示することだけが可能である。これは現在コンピュータで利用可能な種類のインターフェース、即ち一連の２次元の“ウィンドウ”インターフェースの提示を基本的に含んでいる“デスクトップ”隠喩から得られるウィンドウインターフェースによるものである。この種類のインターフェースでは、広告業者は小さいバナーで対処するかバナーを拡大しなければならず、小さいバナーはメッセージを消費者へ有効的に転送する要求を十分に満たさず、バナーの拡大は消費者のアクティビティを妨害し、消費者に面倒である。それ故、広告のパラメータは非常に限定され、必ずしも実効的ではない。
【００２１】
インターネットにおける別の現在の広告方法はデータを観察するためにユーザがあるウェブページに入るときはいつでもポップアップウィンドウを使用する方法である。このタイプのポップアップウィンドウは消費者と広告業者の両者にとって効率的ではない。消費者の視点からは、ポップアップウィンドウは特にそれらが大きいときに面倒である。広告業者の視点からでは、ポップアップウィンドウはウェブページ上の通常のバナー広告と異なって、それらは消費者がメッセージを理解するのに十分な長さで表示されないので有効ではない。多数の消費者は単にポップアップウィンドウに近付くかまたは所望のウェブ内容が見られるように移動し、ポップアップウィンドウを背景に後退する。したがってポップアップウィンドウは通常は任意の時間だけ消費者により観察されない。
【００２２】
さらに、現在のブラウザとブラウジング方法についての別の問題は、広告を表示された内容に挿入している広告業者を識別し、連絡を取り、補充する能力が限定されていることに関する。
【００２３】
図１４は（座標軸に沿って）種々の内容形式を消費者に配送するプロセスと、それらの広告の実施における（横座標に沿った）種々の関係者を示している表である。例えば伝統的なブック（第１の列）では、ブック内容は著者により作成され、ブックの出版社により“出版”され、この内容（即ちブック）の“ディスプレイ”の配送はブックを製造する印刷業者と１つの形態または別の形態で印刷されたブックを消費者まで運ぶ頒布業者により行われる。伝統的なブックの出版では、広告プロセスは幾らかの関係者のみに限定され、さらに市場の環境の変化に反応しない。例えば著者は自分自身を広告する広告（スポーツ選手の自伝で通常見られるような自分を誇張した陳述等）またはその他（特定の原稿内に商品を“配置”するために著者に支払いをする商用企業等）をその内容に挿入できる。ブックの出版業者は共通して内容内に広告をする能力をほぼもたないが、内容の前および／または後に広告を配置することを選択する。さらに、これらの広告は出版業者にのみ関するが、通常ブックジャケットまたはタイトルページ上の単なる出版者名であり、また恐らく内容前或いは内容後に見られる同一の出版業者および／または著者から入手可能な他のブックのリストである。最終的に、内容表示を消費者へ転送するエンティティ、即ち印刷業者およびブックの配送業者（書店等）はそれらおよび／または他に関する広告を内容またはその内容の前／後に挿入する能力をほぼもたない。
【００２４】
類似の状態は、雑誌／新聞の出版業者が内容内またはその前／後およびその両者で他をアクチブに広告することを除いて、新聞／雑誌内容を消費者へ配送するプロセス（図１４の第２の列）の関係者に関して見られる。繰返すが、内容表示を配送するエンティティは広告を挿入する能力をほぼもたない。
【００２５】
テレビジョン／映画内容を消費者に配送すること（図１４の第３の列）に関して、ディスプレイを配送するエンティティは内容の前に広告を挿入する方法を発展させている。例えば映画館はそれらおよびローカルビジネスの広告を映画のショーの映像の前に通常挿入する。さらに、ディスプレイの製造業者も映画のフィルムの開始前に広告を挿入する。１例は映画の開始前に共通して示される“ＤＯＬＢＹ  ＳＵＲＲＯＵＮＤ  ＳＯＵＮＤ”の広告である。これらの場合、内容を消費者へ転送するエンティティは内容の転送前に広告できる限定された能力を進歩させている。
【００２６】
インターネットデータ送信の広告は映画／テレビジョン内容ディスプレイの転送で知られている程度までしかまだ開発されていない。図１４の第４の列で示されているように、内容の消費者への配送に関係している幾つかのエンティティが存在する。別々のウェブホストは内容を含んでいるメモリをウェブ発行業者の命令下で維持および／または更新できる。インターネットサービスプロバイダはウェブホストメモリから消費者のサイトへ内容データを送信できる。ブラウザ製造業者は消費者のサイトで内容データを表示する命令をデコードし発生するブラウザを提供できる。最終的に、モニタまたはその他の出力装置はブラウザの命令下でその内容を表示できる。
【００２７】
インターネット内容を消費者へ転送する各これらのエンティティによる広告の挿入はどう見ても無計画である。例えば、ウェブホストはウェブホストのコンピュータに記憶されている内容をアクセスしている個々の人に全体的に知られていない。ＮＥＴＺＥＲＯのようなインターネットサービスプロバイダはディスプレイスクリーンのトップを横切ってバナー広告を配置する。したがって、このバナーは実際の内容に挿入されず、アクセスされている内容をターゲットともせず、さらに前述したバナー広告の問題を有する。モニタの製造業者は内容表示領域外に位置する法人ロゴを含んでいるだけであり、それによる直接的な広告収益を生まない。
【００２８】
ブラウザの製造業者により補充され選択され表示される広告は同様に古風である。ネットスケープネビゲータおよびマイクロソフトインターネットエクスプローラの両者はブラウザウィンドウの種々の位置に表示される広告をブラウザプログラムのタイトルおよび１以上の法人トレードマークに限定している。これはブラウザの製造業者が彼等以外を広告することと他社により製造される種々の商品の広告の収益を受取ることを禁止する。
【発明の開示】
【発明が解決しようとする課題】
【００２９】
それ故、本発明者はインターネットブラウザに一体化されることができる電子広告の優れたシステムおよび方法の必要性を明らかにした。さらに、本発明者は例えば２０００年６月１４日出願の米国特許第０９／６１７，０４３号明細書に記載されているブック状のインターフェースを有するインターネットブラウザ、またはユーザに広告を最も実効的に転送するインターフェースを十分に利用している米国特許第６，０６４，３８４  号明細書に記載されている特別な種類のブック状のヒューマンコンピュータインターフェースを識別している。本発明者はさらにブラウザにより挿入された広告が異なる収益分配モデルにつながることを認識している。
【００３０】
インターネットで電子広告を配送する現在利用可能な方式についての前述の欠点を考慮すると、本発明の一目的は伝統的な紙のブック後にモデル化された電子広告の優れた方法およびシステムを提供することである。
【課題を解決するための手段】
【００３１】
本発明は、フリッピングブック状方法で表示される内容の中間に広告のページを挿入する。この方法で挿入された広告は読者を困らせる程度まで内容の読みを妨害しまたは禁止しない。
【００３２】
本発明の別の目的は、フルページ、多数のフルページ、またはほぼフルページの広告をインターネットからダウンロードされた材料のページ間に挿入する優れた方法およびシステムを提供することである。
【００３３】
さらに本発明の別の目的は、単一の電子ブックに属すか、インターネットブラウザを使用して現在ブラウズされたウェブサイトに属するページ間、または異なる電子ブックまたはウェブサイトに属すページ間に広告を挿入する優れた方法およびシステムを提供することである。
【００３４】
さらに本発明の目的は、広告業者を補充し、選択し、識別して、ハイパーテキスト／ハイパーリンク集合体の内容の分類に基づいて、これらを広告の入口サイトを通じて内容プロバイダ／著者と一致する優れた電子広告整合／転送方法およびブラウザシステムを提供することである。
【００３５】
さらに別の目的は、インターネットで情報をブラウズするためにブック状のインターネットブラウザを使用して広告をユーザへ“ダイナミックに”配送および／または流す優れた方法およびシステムを提供することである。
【００３６】
本発明の別の目的は、広告が幾つかのウェブサイト上にホストされた電子ブックに予め転送され組込まれる優れた“静止”広告転送方法およびシステムを提供することである。
【００３７】
本発明のさらに別の目的は、ユーザ／電子ブック著者／内容プロバイダが探している広告の種類およびその他のパラメータを特定することを可能にし、それによって自動広告整合システムが、幾つかのウェブサイト上にホストされた電子ブックに組込まれている関連広告を識別できる優れた“静的”電子広告リクエスト方法およびシステムを提供することである。
【００３８】
本発明のさらに別の目的は、広告業者が提供している広告の種類（および広告のその他のパラメータ）を特定することを可能にし、それによって自動広告整合システムが電子ブック著者または他の内容プロバイダに与えられた関連広告を識別できるような優れた“静的”電子広告提供方法およびシステムを提供することである。
【００３９】
本発明のさらに別の目的は、自動的に広告リクエストとデータベース中に存在する広告提供とを整合させる自動広告整合システムおよび方法を提供することである。
【００４０】
本発明の別の目的は、広告が電子ブック内でどのように現れるかに関連する特有のパラメータをエンコードするために既存の電子ブックフォーマット、即ちＯＥＢフォーマットを拡張するための優れた方法およびシステムを提供することである。
【００４１】
本発明のさらに別の目的は、インターネットブラウザのアイデンティティが妥協されないように、インターネットブラウザへダイナミックに情報を流すプライバシー保証方法を提供することである。
【００４２】
本発明のさらに別の目的は、優れた広告整合／配送方法およびシステムに含まれている全てのパーティに対する収益分配方法およびシステムを提供することである。
【００４３】
本発明のさらに別の目的は、広告業者と内容プロバイダとの整合を容易にするようにそれらの内容の分類コードを提供するためのウェブサイトとＨＴＭＬページに対する方法およびシステムを提供することである。
【発明の効果】
【００４４】
本発明によると、伝統的な紙のブック後にモデル化された電子広告の優れた方法およびシステムを提供することができる。
【発明を実施するための最良の形態】
【００４５】
本発明のさらに完全な理解とその多数の付随する利点は、添付図面を伴って考慮される以下の詳細な説明を参照してさらに良好に理解されるであろう。
図面を参照すると、ここでは類似の参照符号は幾つかの図を通して同一または対応する部分を示している。特に図１のＡのインターネットブラウザインターフェースの１実施形態について説明する。インターネットからダウンロードされた情報は開いたブックのように２ページで表示される。この段階では、複数のインターネットページはブラウズされ、“インターネットブラウジングブック”１００  で集合されている。現在のページ（見えているページ）の前および後の内容量はそれぞれブックの左および右側（１０１  と１０２  ）と（左および右下エッジ（１０３  と１０４  ））の可変の厚さとして示されている。左側および右側の厚さ（１０１  と１０２  ）は先に観察されている幾つかのページをブックマークするブックマーク（１０５  −１０７  ）の番号で示されている。これらの厚さには３つのタイプのブックマークが存在する。これらはページブックマーク１０５  、注釈ブックマーク１０６  、フィンガブックマーク１０７  である。これらのブックマークは、２０００年６月１４日出願の米国特許第０９／６１７，０４３号明細書で詳細に説明されている。下部の厚さ（１０３  と１０４  ）はキーワードブックマーク１０８  の番号で示されている。ブラウジングブック１００  の上部のＵＲＬ（ユニバーサルリソースロケータ）フィールド１０９  はＵＲＬアドレスが入力されることを可能にする。
【００４６】
ユーザが任意の所望のページを選択することを可能にするために、ジャンプカーソル１１０  と１１１  は左および右の厚さ（１０１  と１０２  ）に設けられている。ユーザはマウスまたは他の制御装置を使用して、左または右のジャンプカーソル（それぞれ１１０  と１１１  ）を左または右の厚さ（それぞれ１０１  と１０２  ）で上下に移動することができる。ページ番号はジャンプカーソルにより選択されたページを表示するためにジャンプカーソルのタグ上に現れる。ユーザがそのページを選択するためにジャンプカーソルを使用してあるページにジャンプすることを決めたとき、彼／彼女はジャンプを付勢するためにマウスまたは他の入力装置を使用できる。
【００４７】
図１のＢはブラウジングブック１００  の選択されたページがジャンプされるときの表示を示している。このジャンプはブックマーク（例えばページブックマーク１０５  ）の選択によってまたはジャンプカーソル（例えばジャンプカーソル１１０  または１１１  ）によって付勢される。最初に見られるページ１１３  と１１４  へジャンプしたページとの間の厚さ１１２  は物理的なブックの場合のように連続的なアニメーションのコンピュータスクリーンを横切って移動するように示される。
【００４８】
図１のＣはブラウジングブック１００  中の１ページ１２０  がフリップされる状態を示している。ページ１２０  は下に存在するページ１２１  を明示するためにコンピュータスクリーンを横切って曲げられ移動するように示されている。図１のＤはブラウジングブック１００  中を移動する速度が増加するために、１頁よりも多数の頁（  １２２〜１２５  ）が同時にコンピュータスクリーンを横切って移動しているように示されている。ユーザはその後、所望ならば移動中の全てのページのフリーズを選択することができる。図２Ａ−２Ｃはブラウジングブック１００  が生成される例示的なディスプレイを示している。図２Ａはブラウジングセッションが着手されるときのインターネットブラウジングプロセスの開始を示している。ブック２００  は生成され表示される。このとき、ブックはフロントカバー２０１  とバックカバー２０２  のみからなる。
【００４９】
図２ＢはＵＲＬ  ２０３（ユニバーサルリソースロケータ−“ウェブページ”のアドレス）がディスプレイの上部のフィールド２０４  に入力され、付勢されるときに生じる状態を示している。ブラウジングブック２００  のフロントカバー２０１  はめくられ開き、ブック２００  の新しいページ２０５  が現れている。新しいページ２０５  では、ＵＲＬ２０３  のウェブページ２０６  が表示される。左側のページ（２１０  ）は空である。
【００５０】
複数のハイパーリンク（  ２０７−２０９  ）はウェブページ２０６  で利用可能である。図２Ｃはウェブページ２０６  （図２Ｂ）上のハイパーリンク２０７  が選択され付勢されるときに生じる状態を示している。ページ２０５  はブラウジングブック２００  に付加される２つのさらに新しいページ（  ２１１−２１２  ）を明らかにするためにめくられる。ページ２１１  上にはハイパーリンク２０７  （図２Ｂ）により指定されるウェブページ２１３  の内容が表示される。インターネットブラウジングブック２００  の左側は左側に付加されたページ数が限定されているために比較的小さい厚さを示している。より多数の内容がインターネットブラウジングブック２００  に持ち込まれると両側の厚さの増加をもたらす。
【００５１】
図３のＡは（厚さ３３０  と３３１  で示されている）寸法調節可能なインターネットブラウジングブック３００  がブラウジングプロセスを通して生成される状態を示している。さらに増加した内容は種々の機構によりブラウジングブックに持ち込まれる。２０００年６月１４日出願の米国特許第０９／６１７，０４３号明細書には新しい内容をブラウジングブックに付加することができる複数の方法およびシステムが記載されている。図３のＡは現在可視の２つのページ３０１  と３０２  を示している。内容３０３  は左側のページ３０１  に表示され、内容３０４  は右側のページ３０２  に表示されている。これらの内容３０３  、３０４  は広告を含んでいる。広告は内容３０３  と３０４  により規定される境界よりも小さいバナーとして現れることができ、あるいはこれらはそれ自体により内容３０３  、３０４  全体を占めてもよい。広告ページはまたページ３０１  と３０２  の一方またはその両ページ（３０１  と３０２  ）に存在されることができ、さらに連続するページをカバーしてもよい。
【００５２】
図３のＢはそれぞれページ３０１  、３０２  、３０５  、３０６  にわたり表示される内容３０３  、３０４  、３０７  、３０８  を含むめくられて開かれたブラウジングブック３００  を示している。幾つかの内容３１１  と３１２  はそれぞれページ３０２  と３０５  の後側に表示されている。広告内容は２つのページ３０１  と３０２  よりも多くのページおよび／または全てのページ３０１  、３０２  、３０５  、３０６  、３１１  、３１２  で現れてもよい。内容はこれらのページを十分に占めてもよく、あるいはこれらのページの一部のみを占めてもよい。
【００５３】
広告はまたブラウジングブック３００  全体にわたって多数の単一ページ、ページ対、またはページグループで表示されてもよい。広告はこれらのページを全部占めるか、これらのページ内の小さいフットプリントを占有する。フルページと小さいフットプリント表示の組合わせは可能である。
【００５４】
広告がフルページとして現れることができることに加えて、インターネットブラウジングブックの別の利点は、ウェブサイトまたは文書内容プロバイダによるだけでなく内容を読者／ブラウザへ転送する媒介手段によっても選択されることができることである。例えば、図３のＢでは、（ページ３０１  、３０２  でそれぞれ現れる）内容３０３  、３０４  はＵＲＬアドレスまたはブラウジングブック３００  上のどこかのハイパーリンクを通してブラウジングブック３００  により早期にアクセスされた企業Ｘによって生成された内容である。これらのページ（３０１  、３０２  ）では、バナーまたはフルページ広告は企業Ｘにより表示され、その場合に企業Ｘはこれらの広告をその企業の内容３０３  、３０４  に関連付けるさらに他の企業から広告料金を集金する可能性もある。その後、例えばブラウジングブックの後の位置で、（それぞれページ３０５  の後面とページ３０６  の前面の）内容３１２  と３０８  、ＵＲＬアドレスまたはブラウジングブック３００  の幾つかのページのハイパーリンクを通してブラウジングブック３００  によりアクセスされる企業Ｙにより生成された内容が見られる。これらの内容３１２  と３０８  内またはその周辺では、自己の商品（または企業Ｙがこれらの他の企業から広告の支払いを集金するさらに他の企業の商品）に関する企業Ｙによる広告が見られる。さらにページ３０２  とページ３０５  の後面との間にはブラウジングブックへ広告内容を供給することを専門とするサーバ（例えば図４の広告サーバ４１１  ）により転送された広告を含んでいる内容３１１  と３０７  が見られる。したがって、これらのソースがブックの内容の生成および提示において異なる役割を行うときでさえも単一の“ブック”表示内には幾つかの異なるソースからの広告が存在する。
【００５５】
代わりに、内容３０３  、３０４  、（ページ３０５  の後面に見られる）３１２  、３０８  は例えば共に企業Ｘまたは著者Ｖに属する内容を含んでおり、広告はこれらのページ、例えば内容３０７  と（ページ３０２  の後面）３１１  間に挿入されることができる。企業Ｘ等の所定の企業または著者Ｖ等の所定の著者に属するこれらの内容（３０３  、３０４  、３１２  、３０８  ）はＨＴＭＬページ、または共にブックフォーマット、例えばＯＥＢ（Ｏｐｅｎ  Ｅｌｅｃｔｒｏｎｉｃ  Ｂｏｏｋ）フォーマットで結合されるページに緩く関連されることができる。広告挿入部（３０７  と３１１  ）はしたがってこれらのＨＴＭＬページ間またはＯＥＢブック内に挿入されることができる。
【００５６】
それ故、広告の転送を特徴付けるために使用されることができる１つのパラメータは、図３で示され、前述したように、広告が異なるブック（例えばＣＥＢブックまたは同一のウェブサイトに属すページ）間或いは同一のブックまたは同一のウェブサイトに属すページ内であるかである。
【００５７】
図４は広告をブラウジングブック中に位置付け、転送する広告整合／転送システム４００  を示している。ブラウジングブックソフトウェア４０１  はインターネットブラウジングブックサイト４０２  においてコンピュータで実行されていることを考慮する。インターネットブラウジングブック４０１  を動作しているユーザはＯＥＢフォーマットで文書／ブック４０５  をリクエストする。このリクエストはインターネット４０３  を経て（例えばデータリンク４０７  を経て）１つのブックサイト４０４  へ送信され、所望のブックは１つのブックサイト４０４  からインターネットブラウジングブック４０１  へ戻される。ＯＥＢブック４０５  はブック４０５  の内容を記述する分類コード４０６  を含んでもよい。ブラウジングブックソフトウェア４０１  はその後、データリンク４０８  により広告入口サイト４１０  の広告サーバ４１１  から１以上の関連する（例えばターゲットとされた）広告をリクエストするために分類コード４０６  を使用する。
【００５８】
広告をブラウジングブック４１０  からリクエストするとき、広告業者検索エンジン４１２  はデータリンク４０９  を経て（例えばブック４０６  の分類に基づいて）関連する広告を検索するために広告業者サイト４１３  へ行くことができる。代わりに、広告入口サイト４１０  で生成される広告業者サイトデータベース４１４  は広告サーバ４１１  への関連する広告を記述するデータを与えることができる。広告サーバ４１１  はしたがってブック４０６  の分類に基づいて広告サイトデータベース４１４  から１以上の広告を検索し、検索された広告をブラウジングブック４０１  へ転送することができる。
【００５９】
このプロセスはインターネットブラウジングブック駆動の広告整合／転送であり、ここでは広告／広告業者に対するリクエストはインターネットブラウジングブックサイト４０２  から来る。このプロセスはダイナミック広告ストリーミング方法としても知られている。
【００６０】
広告入口サイト４１０  では、広告業者サイト４１３  とブックサイト４０４  がそれらを広告業者サイトデータベース４１４  およびブックサイトデータベース４２１  へそれぞれ予め登録することを可能にする広告業者／クライアント登録エンジン４２２  も存在する。事前登録の利点はこれらのブックサイトおよび広告業者サイトが例えば広告業者またはある特徴または分類のブックに対するリクエストが行われたときに候補として与えられる優先順位を有することである。広告業者サイトデータベース４１４  およびブックサイトデータベース４２１  は広告業者サイト４１３  から広告業者により与えられる広告と、ブックサイト４０４  からブック／内容著者によりリクエストされた広告と関連する種々のパラメータをそれぞれ含んでもよい。これらのパラメータを簡単に説明する。
【００６１】
ブラウジングブックの内容およびリクエストに基づいて広告がブラウジングブックにダイナミックに転送される前述のダイナミック広告ストリーミング方法に加えてまたはそれに置換して、広告が予め転送されブックサイト４０４  でブック４０５  中に組込まれる“静止広告転送方法”も使用されることができる。
【００６２】
“静止”広告配送方法はさらに２つの方法、即ち“プル”方法と“プッシュ”方法に分けられることができる。プル（ｐｕｌｌ）方法では、ブックサイト４０４  は広告のリクエストを開始する。リクエストが一度開始されると、データベースが検索され、関連する広告が恐らく発見される。広告整合プロセスはマニュアルであり、例えば従業員が広告入口４１０  の広告業者サイトデータベース４１４  または広告業者サイト４１３  データの他の利用可能なソースを検索するブックサイト４０４  によって行われるか、例えば従業員が特定の広告名（例えばコカコーラ（商標名）広告）のようなパラメータの番号、または広告のカテゴリ名（例えばゴルフの広告）、ブックサイトのブック４０５  上の広告の表示の時間、表示時間の長さ、広告の寸法、ブック４０５  中に現れる位置、与えられるレート等を特定することによって、広告に対するリクエストを入力するブックサイト４０４  を自動化する。
【００６３】
図５Ａは静止広告“プル”プロセスを開始するために使用されることができるコンピュータ上の例示的な広告リクエスト（プル）インターフェース５０１  を示している。特定の広告タイプ５０２  および／またはカテゴリ５０３  が特定されることができる。特定の広告５０４  の名称および／またはカテゴリ５０５  の名称も特定されることができる。特定されることのできる他の事柄は例えば広告の表示時間５０６  、表示時間の長さ５０７  、広告の寸法５０８  、ブック中の広告の位置５０９  、与えられるレート５１０  などを含んでいる。データの入力後、ＧＯボタン５１１  を押すと広告の検索と一致プロセスを広告業者サイトデータベース４１４  で開始する。
【００６４】
“プッシュ”方法では、広告業者は広告提供プロセスを開始する。広告整合プロセスはマニュアルであり、例えば従業員が広告入口４１０  のブックサイトデータベース４２１  またはブックサイト４０４  データの他の利用可能なソースを検索する広告業者サイト４１３  により行われるか、または自動であり、例えば従業員が特定の広告名（例えばコカコーラ（商標名）広告）のような１以上のパラメータ番号、または広告のカテゴリ名称（例えばゴルフの広告）、ブックサイトのブック４０５  上の広告の表示の時間、表示時間の長さ、広告の寸法、ブック４０５  中で現れる位置、与えられるレート等を特定することによって、広告の提供を入力する広告業者サイト４１３  で行われる。
【００６５】
図５Ｂは静止広告“プッシュ”プロセスの開始のために使用されることができるコンピュータ上の例示的な広告提供（プッシュ）インターフェース５３１  を示している。特定の広告５３２  および／またはカテゴリのタイプ５３３  は特定されることができる。特定の広告名５３４  および／またはカテゴリ名５３５  も特定されることができる。特定されることのできるその他の事項は例えば広告の表示の時間５３６  、表示時間の長さ５３７  、広告の寸法５３８  、ブックの位置５３９  、リクエストされるレート５４０  等を含んでいる。データの入力後、ＧＯボタン５４１  を押すと、ブックサイトデータベース４２１  で広告の検索と整合プロセスを開始する。
【００６６】
広告整合に対する検索中、検索プロセスは広告業者サイトデータベース４１４  またはブックサイトデータベース４２１  に到達できる。広告業者に対する検索プロセスでは、広告業者サイトの検索エンジン４１２  はデータリンク４０９  により幾つかの広告業者サイト４１３  中で一致する広告業者の検索を行うように付勢されることができる。関連するブック４０５  の検索プロセスでは、ブックサイト検索エンジン４２０  はデータリンク４１５  を経て幾つかのブックサイト４０４  中で整合するブック４０５  の検索を行うように付勢されることができる。
【００６７】
代わりに、広告の選択および整合は図４で示されているように、自動広告整合エンジン４３０  により開始されることができる。図５Ａと５Ｂで示されているようにＧＯボタン（５１１  または５４１  ）によりトリガーされ、既存の広告業者サイトデータベース４１４  またはブックサイトデータベース４２１  でそれぞれ実行される広告リクエストまたは提供の場合と異なって、自動広告整合エンジン４３０  は新しいデータがそれらに付加されるとき、広告業者サイトデータベース４１４  とブックサイトデータベース４２１  のデータ間で整合を実行する。即ち、広告リクエストプロセス（図５Ａ）または広告提供プロセス（図５Ｂ）の実行後の早期のセッションではブックサイトデータベース４２１  または広告業者サイトデータベース４１４  はそれぞれ特定された広告パラメータ（  ５０２−５１０  または  ５３２−５４０  ）を捕捉してもよい。新しい付加的なデータが広告業者サイトデータベース４１４  またはブックサイトデータベース４２１  へ付加されるとき、自動広告整合エンジン４３０  は２つのデータベース（４１４  と４２１  ）間で整合プロセスを開始し、新しい整合が見つかったときブックサイト４０４  または広告サイト４１３  へ報告する。
【００６８】
インターネットブラウジングブックサイト４０２  でブラウジングブック４０１  として現れるとき、ブック４０５  のページ上の広告の外見を制御するために、幾つかの仕様が必要とされる。ブックサイト４０４  のブック４０５  が現れることのできる１つのフォーマットは産業組合により規定されたＯＥＢ（Ｏｐｅｎ  Ｅｌｅｃｔｒｏｎｉｃ  Ｂｏｏｋ）フォーマットである。図６はフォーマット仕様を示している。トップレベルでは、ブック６０１１のページと、ブック６０２１に関連する幾つかのパラメータを特定するブックレベルの仕様６００１が存在する。ブック６１０１のページの仕様は幾つかのパラメータ仕様６１１１と６１３１を含んでおり、その中で広告ページ６１２１の仕様がある。エントリ６１２１はページが広告ページであるか否かを規定する。広告の仕様、即ち静止６２１１またはダイナミック６２２１であるか否か（前述したように、静止広告はこれらがダウンロードされ観察される前にブック４０５  へ予め組込まれ、ダイナミック広告はインターネットブラウジングブックサイト４０２  で観察されるときブラウジングブック４０１  に流される）、そのカテゴリ６２３１（これが静止ページであるならば、広告のカテゴリであり、これがダイナミックページであるならば、受入れられるカテゴリである）、その特定名称６２４１（例えば“コカコーラ（商標名）”、これが静止ページであるならば、広告名であり、ダイナミックページであるならば、受入れられる広告名である）を指すポインタ６２０１も有する。
【００６９】
前述のダイナミック広告を流す方法は、技術的には可能であるが、プライバシーの問題を有する。この方法では、インターネットブラウジングブック４０１  は、それが送信する分類コード４０６  に基づいてある特徴の幾つかの内容を観察し、恐らくブラウジングブック４０１  によりブラウジングする人のアイデンティティを明らかにしていることを広告サーバ４１１  へ通告しなければならない。広告入口４１０  から観察者のアイデンティティを保護するため、“プライバシー保証されたダイナミック広告のストリーミング”が使用されることができる。一方でデータ転送リンク４５０  、４５１  、他方で広告中継サーバ４５５  としてこの方法を実行する２つの主要なシステムコンポーネントが図４に示されている。
【００７０】
このプライバシー保証された方法では、インターネットブラウジングブック４０１  はリンク４０８  により広告入口４１０  と直接通信する代わりに、リンク４５０  と４５１  を通して、また典型的にブックサイト４０４  に存在する広告中継サーバ４５５  を通してそれと通信する。
【００７１】
広告中継サーバ４５５  は広告入口４１０  からインターネットブラウジングブックサイト４０２  で観察者のアイデンティティを遮蔽する役目を行う。広告中継サーバ４５５  はリンク４５１  を通してある分類４０６  によりブック４０５  をリクエストしているインターネットブラウジングブックサイト４０２  を識別する作用を行い、その後、リンク４５０  を通して広告入口サイト４１０  から適切な広告をリクエストする。インターネットブラウジングブックサイト４０２  における観察者のアイデンティティはブラウジングブックサイト４０２  がブックサイト４０４  からブック４０５  がダウンロードされるようにリクエストするときブックサイト４０４  に知られるが、広告中継サーバ４５５  はこの情報を広告入口４１０  へ明らかにする必要はない。したがってこの方法は広告入口４１０  からインターネットブラウジングブックサイト４０２  における観察者のプライバシーを保護する。
【００７２】
このプライバシー保護機構により、アイデンティティは広告整合／転送システム４００  の使用中でさえも保護されることができる。
【００７３】
広告の収益は３つのパーティ間、即ちブックサイト４０４  と、広告業者サイト４１３  と（広告業者サイト４１３  が次にオリジナルまたは他の広告ソースを仲介するならば）、広告入口サイト４１０  との間で潜在的に分配されることができる。収益のアレンジメントはブックサイト４０４  および広告業者サイト４１３  での予め広告された収益アレンジメントまたは、ブックサイトデータベース４２１  または広告業者サイトデータベース４１４  での予め広告された収益アレンジメントに基づくことができる。これらの予め広告されたアレンジメントは例えば広告アレンジメントの機能（ブック／ウェブサイトのページ広告内であるか、またはブック／ウェブサイトのページ広告間であるか、或いはこれらの広告が現れるとき、その長さまたはその正確な形態等）として、分配される収益額、関連するパーティ間での収益の分配方法に関する仕様を含んでもよい。ブックサイト４０４  または広告サイト４１３  が、それらのサイトと予め広告された収益アレンジメントのないブックサイト検索エンジン４２０  または広告業者サイトの検索エンジン４１２  により連絡を取られるならば、広告アレンジメントのリクエストまたは広告および収益アレンジメントを含む情報を広告入口サイト４１０  の広告業者サイトデータベース４１４  またはブックサイトデータベース４２１  へ付加するためにメッセージがこれらのサイトの所有者へ送信されることができる。
【００７４】
典型的に、ブックサイト４０４  は、広告が特定のブック／ウェブサイトのページ内で現れる場合よりも広告が異なるブック／ウェブサイトのページ間で現れる場合の方が受信する広告の収益の割合は小さい。これはブック内で現れる広告がそれでないよりもブックの内容からより多くの利益を得るためである。しかしながら市場の供給および需要の力は最終的なアレンジメントを指図している。
【００７５】
ブックサイト４０４  は通常共に“ウェブブック”を具備する緩く関連するＨＴＭＬページを含んだ典型的な企業または個人のウェブサイトを含むこともできる。代わりに、企業／個人はその／彼／彼女のウェブサイトをインターネットブラウジングブック４０１  でブラウズされることができるブック形態“ウェブブック”（例えばＯＥＢフォーマット）に再度著わす。インターネットブラウジングブック４０１  は２０００年６月１４日出願の米国特許第０９／６１７，０４３号明細書に記載されているように、ルーズな（緩い）ＨＴＭＬページとブックをダウンロードし、拡張されたＯＥＢフォーマットで表示できる。
【００７６】
インターネットにわたって実効的に広告を整合する広告整合システム４００  の能力を利用するために、電子ブック４０５  中に存在する分類コード４０６  が必要とされる。しかしながら、幾つかの電子ブック４０５  部分であるページではなく代わりに１以上のウェブサイトからの“ルーズな”ＨＴＭＬページであるインターネットブラウジングブック４０１  で見られるページ間に広告を流すために、これらのウェブサイトの内容の幾つかの分類情報が必要とされる。この分類情報はウェブサイトのウェブ内容をホストするウェブサーバに存在するか、ＨＴＭＬページ自体に存在する分類コードの形態である（恐らく不可視にされている）。後者に対しては、関係するＨＴＭＬページの観察者に対して不可視の状態を維持するために分類コードに対してＨＴＭＬフォーマットを拡張する必要がある。
【００７７】
ブラウザを使用して広告を提供する代わりのおよび／または補足的なシステムが図７に示されている。特に図７に示されているシステムはブラウザを使用してターゲットとされた広告を提供できる。予測的なターゲット決定およびマーケティングについてのより完全な説明は例えば文献（“Ｔｈｅ  Ｄｉｒｅｃｔ  Ｍａｒｋｅｔｉｎｇ  Ｈａｎｄｂｏｏｋ  ”、Ｅｄｗａｒｄ  Ｌ．  Ｎａｓｈ編、マグローヒル社、ニューヨーク、１９９２年）で記載されており、この内容はここで参考文献とされている。
【００７８】
図７のネットワーク構造は、好ましい実施形態では、インターネットネットワーク６２０  により広告データベースシステム６１０  に接続されている少なくとも１つのブラウザ対話サイト６３０  と、少なくとも１つの内容データベースシステム６２３  と、幾つかの実施形態では広告ブローカデータベースシステム６４０  および／または少なくとも１つの個々の広告業者データベースシステム６５０  を含んでいる。別の実施形態では、ネットワーク６２０  は任意の他のタイプの通信または電気通信ネットワークとして構成されることができる。例えばネットワーク６２０  は構内通信網、広域網、バーチャル私設網、および／または公衆交換電話回路網を介した接続であってもよい。例示的な実施形態では、ネットワーク６２０  は、ケーブル−モデム接続、ＤＳＬ接続、ダイヤルアップモデム接続および／または他の適切な接続機構を含む多数の接続様式を含んでいる。
【００７９】
プロセッサ６１１  、６２１  、６３１  、６４１  、６５１  はネットワーク６２０  にわたり送信されるデータをコード化し、デコードし、関連するメモリ（例えば６１２  、６２２  、６４２  、６５２  ）でのデータの読取りおよび書込みを制御し、これらのメモリ中のデータを解析するために使用される。プロセッサ６３１  はさらに内容リクエスト装置６３２  から内容リクエスト情報を受信し、内容表示装置６３３  に選択された内容を表示させるように構成されている。プロセッサ６１１  、６２１  、６３１  、６４１  、６５１  は高容量のデータ送信と（恐らくウェブサーバとして）通信の処理で多数の数学計算とデータベース検索と計算アルゴリズムを行うように構成された任意のプロセッサであってもよい。十分なメモリと処理能力を有する一般的なパーソナルコンピュータまたはワークステーションがプロセッサ６１１  、６２１  、６３１  、６４１  、６５１  として動作するように構成されてもよい。インテル社による製造のＳＣ  ２４２で１ＧＨｚのＰＥＮＴＩＵＭ（登録商標）  ＩＩＩ等のＰＥＮＴＩＵＭ（登録商標）  ＩＩＩマイクロプロセッサ、Ｍｏｔｏｒｏｌａ  ５００ＭＨｚ  ＰｏｗｅｒＰＣ  Ｇ４プロセッサ、Ａｄｖａｎｃｅｄ  Ｍｉｃｒｏ  Ｄｅｖｉｃｅ  １ＧＨｚおよびＡＴＨＬＯＮプロセッサは全てプロセッサ６１１  、６２１  、６３１  、６４１  、６５１  として使用されることができる。メモリ６１２  、６２２  、６４２  、６５２  は任意の種類のプロセッサアクセス可能なデータ媒体であり、フロッピー（登録商標）ディスク、光ディスク、ＣＤ−ＲＯＭ、磁気−光ディスク、ＲＯＭ、ＲＡＭ、ＥＰＲＯＭ、ＥＥＰＲＯＭ、フラッシュメモリ、磁気または光カードを含む任意のタイプのディスクまたは電子データを記憶するのに適した任意のタイプの媒体を含むがそれに限定されない。
【００８０】
ブラウザ対話サイト６３０  は内容リクエスト装置６３２  および内容表示装置６３３  を含み、両者は電気的にプロセッサ６３１  へ接続されている。ブラウザ対話サイト６３０  は個人により動作されるように設計されているが、幾つかの実施形態では、秘密保護状態に個人の識別を維持する。内容リクエスト装置６３２  は任意の数の入力装置であってもよい。適切な実施形態では、キーボード、タッチスクリーン、コンピュータマウス、バーコード読取り装置、（ストライプ、ディスク、テープ読取り装置を含む）磁気読取装置、スマートカード読取り装置、圧力センサ、モーション検出器、電磁気受信機、電圧計、熱センサ、およびデジタルプロセッサとインターフェースされることができ、消費者リクエスト情報を変換するその他のトランスデューサを含んでいる。内容表示装置６３３  は最も普通のコンピュータモニタであるが、ここで参考文献とされる米国特許第６，０６４，３８４  号明細書に記載されているブック状のヒューマンコンピュータインターフェースのような専用および／または特殊化されたディスプレイを含むこともできる。
【００８１】
広告データベースシステム６１０  はブラウザソフトウェアの供給業者により通常所有されおよび／または動作される。これは内容がリクエストされたときブラウザソフトウェアの“第１のストップ”であり、ブラウザソフトウェアにターゲット情報、財務情報を提供し、記録維持を行い、表示される内容にブラウザソフトウェアにより挿入される実際の広告自体を与える役目を行う。広告データベースシステム６１０  のメモリ６１２  は関連するデータ記録を含む任意の多数の異なるテーブルを含むことができる。このようなテーブルの例示的な例はテーブル６１２ａ−６１２ｄとして示されているが、その他のグルーピングも本発明の技術的範囲内で可能である。広告業者テーブル６１２ａは例えば特定の広告業者の広告のリスト等の広告業者情報と、広告業者の広告を挿入するための所望の内容に関するターゲット情報と、広告に関する契約情報と、広告業者、時間、広告業者のある広告を表示するための条件に関する支払い情報と、幾つかの実施形態では特別な広告データを記憶している。広告テーブル６１２ｂは個々の広告に関する広告データ、および／またはそれらの表示、料金請求に関する種々のパラメータ、および／または他の要素を含んでいる。この情報はまた広告を形成するイメージ、テキストおよび／または音響ファイルも含んでいる。広告テーブル６１２ｂはしたがって広告業者に関する任意の情報を含むか含まないで、特定の広告に関する多くの同一情報を含むことができる。例えば、広告テーブル６１２ｂは特定の広告を挿入するための所望の内容に関するターゲット情報、特定の広告に関する契約情報、広告に関する支払い情報、および／または時間および／または広告の表示に関する条件を含むことができる。データがオーバーラップしているテーブル６１２ａと６１２ｂの例示はメモリ６１２  中に同じ情報を記憶し、アクセスし、解析する代わりの方法を表示することを意図している。広告テーブル６１２ｂに記憶されている広告はあるレートにおいてある内容で表示されるように事前に交渉されているか、またはこれらは特定の内容内の表示に基づいているか基づかずに、広告業者と交渉中のために単に記憶されることができる。
【００８２】
種々のデータ組織方式の例示的な展開について続けると、ターゲット情報テーブル６１２ｃは広告データ自体の記憶装置とは別にテーブルにターゲット情報を記憶することができる。このデータは広告が好ましく挿入される所望の内容に関する広告分類、ある内容をアクセスしようとする読者の所望の人口統計学的特性のようなターゲット情報、または広告のターゲティングに関するその他の情報を含むことができる。ターゲット情報のテーブル６１２ｃはまた種々の内容のターゲット情報に関する情報および／または内容からのターゲット情報の抽出を記憶できる。例えば、内容プロバイダが特定の内容に関する内容のターゲット情報を提供しないならば、ターゲット情報のテーブル６１２ｃはウェブサイト等の特定の内容がアクセスされるときブラウザソフトウェアによりアクセスされるための情報を含むことができる。このようにして、ブラウザソフトウェアは内容プロバイダの同意なしにターゲットとされる広告を内容へ挿入してもよい。例えば、オンラインの新聞は、ウェブブラウザソフトウェアが広告を挿入できるように、ＨＴＭＬフォーマットのそれらの内容に関する人口統計学的情報の提供を望まないと仮定する。ターゲット情報テーブル６１２ｃはオンライン新聞に関する（おおよそのまたは実際の）人口統計学的情報を含むことができる。この情報は例えば関連する人口統計学的情報のオンライン新聞の広告部門に連絡を取ることにより捕捉されるか、内容自体から抽出されることができる。例えば内容のＦｌｅｓｃｈ−Ｋｉｎｃａｉｄ  Ｇｒａｄｅ  Ｌｅｖｅｌスコアは（例えば広告データベースシステム６１０  のブラウザまたはメンテナンス装置により）自動的に決定され、幾つかの人口統計学的特徴を内容に割当てるために使用されることができる。代わりに、文書は検索され、あるキーワードの発生頻度は人口統計学的特徴を内容に割当てるために使用されることができる。例えば内容中で頻繁に発生するワード“ｎｉｎｊａ”は１０代以下または１０代の男子に対して重みを付けられた読者の人口統計に示し、一方頻繁に発生するワード“ｙａｃｈｔ”は異なる読者の人口統計を示す。その代わりに、内容プロバイダ自体により挿入される広告の人口統計はある内容の読者の人口統計を確認するために使用されることができる。
【００８３】
財務記録テーブル６１２ｄはある広告の表示に関係する価格および／または支払いに関連する情報を含むことができる。例えば財務記録テーブル６１２ｄは特定の内容に特有の広告を表示するのにかかる価格を生成するために使用されることができるある人口統計学的特性に関連する種々の重みを含むことができる。例えば、春季において、カレッジ教育を受けている２０−３０歳の男性によって共通してアクセスされるスポーツカーの内容の広告を表示する価格は、冬季において、高校の卒業証明だけしか有しない２０−３０歳の女性に対して広告を表示する価格よりも高い。個々の重みは、教育レベル、収入、年齢、人種、性別、季節、職業および／またはその他の要素のようなある内容の典型的な読者の個々の人口統計学的特性に対して割当てられる。このようにして多数の人口統計学的特性を共にまたは個別に考慮するスライディング価格スケールが生成されることができる。財務記録テーブル６１２ｄはまた広告業者が広告に費やそうとする金額と、特定の広告業者についての請求支払い情報に制限を有するか否かのような情報を含むこともできる。
【００８４】
内容データベースシステム６２３  は第三者のサイトであるか、第三者のサイトの集団であってもよく、内容を読者へ与える。内容データベースシステム６２３  は内容自体を記憶する１以上の内容テーブル６２２ａと、内容テーブル６２２ａ中の内容の読者の人口統計に関する情報を含んだターゲット情報テーブル６２２ｂを含んでもよい。したがって、これらの２つのテーブルは結合されるかそうでなければ、細別される。ターゲット情報テーブル６２２ｂはある実施形態では省略されることもでき、このような情報は前述したように内容から抽出されるかまたはその他の方法で得られる。
【００８５】
ブックの形態で内容を表示するブラウザの内容では、内容データベースシステム６２３  は単一のブック表示で表される内容全体の一部だけを提供する。例えばハイパーリンクにより結合される２つの別々のウェブサイトは２つの別々の内容データベースシステム６２３  を形成する。単一のブック表示の内容はこれらの２つの個別のウェブサイトから発生することができるが、ブック表示の内容内および／または内容間に挿入される広告はこれらのウェブサイトの一方および／またはその両者からターゲット情報を引出すことができる。
【００８６】
個々の広告業者データベースシステム６５０  は広告を行うための個々の広告業者の場所（ｖｅｎｕｅ  ）と、広告を挿入できるウェブブラウザに利用可能な広告のターゲット人口に関する人口統計学的情報とを提供する。代わりに、この情報が広告データベースシステム６１０  で既に記憶されているならば、個々の広告業者のデータベースシステム６５０  は特定の内容内の記憶された広告の表示を監視および／または承認するために使用されることができる。この場所は広告業者が広告データベースシステム６１０  のオペレータと広告の配置について予め交渉していないときに特に有効である。このような個々の広告業者のデータベースシステム６５０  のメモリ６５２  は広告テーブル６５２ａの１以上の広告に関するデータと、ターゲット情報テーブル６５２ｂ中のターゲット情報を含むことができる。したがって、これらの２つのテーブルは結合されるかあるいは細別されることができる。広告テーブル６５２ａはブラウザソフトウェアにより内容へ挿入されるイメージ、音響ファイル、および／またはテキストの形態で実際の広告自体を含むことができる。広告テーブル６５２ａはまた広告業者がどのように、何時、どこで挿入された広告を希望しているか、広告業者の料金情報、および／またはその他の財務情報のような種々の情報を含むことができる。例えば広告テーブル６５２ａはしたがって、挿入位置／価格等を予め交渉している広告に対する簡単な貯蔵場所を構成することができ、または“表示に対するリクエスト”を構成でき、それによって、内容を現在表示しているブラウザは広告業者が記憶された広告を表示された内容に挿入させる（即ちそれに対して料金を支払う意思がある）ことに興味を有するか否かを見るために広告業者のサイトにコンタクトする。ターゲット情報テーブル６５２ｂは内容についてのある読者の人口統計学的特徴に関連する種々の加重および／または広告業者が広告テーブル６５２ａから広告を挿入させることに興味を有する内容を内容テーブル６２２ａに記憶する内容データベースシステム６２３  のリストを含むことができる。
【００８７】
代わりの形態または適切な広告の記憶および／または位置検出は広告ブローカーデータベースシステム６４０  を有する広告ブローカーを含んでもよい。広告ブローカーデータベースシステム６４０  は複数の個別の広告業者を別にして、個別の広告業者データベースシステム６５０  と同一の情報を実質上含んでいる。このアレンジメントは適切な広告の位置を検出する前に、ブラウザソフトウェアが多数の個別の広告業者データベースシステム６５０  を検索する必要性を無くす。したがって、幾つかの個別の広告業者はそれらの広告および／またはターゲット情報をブローカーに与え、ブローカーはブラウザソフトウェアにより連絡が取られたとき適切な広告を位置させる。代わりに広告ブローカーデータベースシステム６４０  は既に広告業者データベースシステム６１０  に記憶されている広告の挿入を監視し、および／または承認する。
【００８８】
図８Ａ−Ｄは現在のシステムで使用するための例示的なデータ記録を示している。図８Ａは図７のターゲット情報テーブル６１２ｃ、６２２ｂ、６４２ｂ、６５２ｂで見られるような特定の広告に関するターゲット情報を示した例示的なデータ記録を示している。フィールド７１０ｃは料金請求が提示されたときにブラウザソフトウェアと広告業者との両者に対しての広告を識別するために使用されることができる広告名またはその他の識別情報を含んでいる。フィールド７１０ｄ−ｆ  はフィールド７１０ｃで識別される広告に関する１以上の人口統計学的要素を含んでいる。人口統計学的要素は例えばフィールド７１０ｃで識別される内容に広告を挿入するために支払われる金額の計算に用いられる加重と、広告が表示されるべき時間、または広告がその特定の人口統計学的グループに表示されるべきではないことを示す人口統計学的情報を含むことができる。
【００８９】
図８Ｂは図７のターゲット情報テーブル６１２ｃと６２２ｂで見られるような特定の内容に関する人口統計学的情報を示した例示的なデータ記録を示している。フィールド７２０ｃは料金請求が提示されたときにブラウザソフトウェアと広告業者との両者に対する内容を識別するために使用されることができる内容名またはその他の識別情報を含んでいる。フィールド７２０ｄ−ｆ  は内容の特定の人口統計に関係するデータを含んでいる。前述したように、この情報はターゲット情報テーブル６２２ｂの内容プロバイダにより提供されることができるか、または広告データベースシステム６１０  により生成／抽出されてターゲット情報テーブル６１２ｃ中に置かれることができる。フィールド７２０ｄ−ｆ  の人口統計学的情報は、任意の複数の人口統計的特性に関し、性別、年齢、教育レベル、趣味、職業、地理的な位置、収入レベル、および／またはフィールド７２０ｃで識別される内容に共通して興味を有する個人の習慣を含んでいるが、それらに限定されない。図８Ａの人口統計学的要素と図８Ｂの人口統計学的要素とを一致することにより、プロセッサはブラウザソフトウェアにより挿入されるターゲット広告を自動的に識別できる。例えば、図８Ｂのフィールド７２０ｄ−ｆ  の人口統計学的情報を数字で示した記述子と、図８Ａのフィールド７１０ｄ−ｆ  に記憶された特定の人口統計学的情報の相対的な重要度を数字で示した加重との積の和は、どのようにして特定の内容の人口統計に対して広告をターゲットするかのおおよそのアイディアを与える。
【００９０】
図８Ｃは図７の広告業者テーブル６１２ａで見られるような特定の広告業者に関する広告情報を示した例示的なデータ記録を示している。フィールド７３０ｃは料金請求が提示されたときにブラウザソフトウェアと広告業者との両者に対する内容を識別するために使用されることができる広告名またはその他の識別情報を含んでいる。フィールド７３０ｄ−ｇ  はフィールド７３０ｃ中で識別される特定の広告業者の個別の広告に関するデータを含んでいる。フィールド７３０ｄ−ｇ  は個別の広告に関する他の情報を含んでもよい。例えば特定の広告の所望の観察者に関する人口統計学的要素は各フィールド７３０ｄ−ｇ  中に含まれてもよい。例示的なフィールド７３０ｈは特定の広告業者に関する料金請求情報を含んでいる。
【００９１】
図８Ｄは図７の広告テーブル６１２ｂ、６４２ａ、６５２ａで見られるような特定の広告業者に関する広告情報を示した例示的なデータ記録を示している。フィールド７４０ｃは料金請求が提示されたときにブラウザソフトウェアと広告業者に対する両者への内容を識別するために使用されることができる広告名またはその他の識別情報を含んでいる。フィールド７４０ｄ−ｇ  は広告自体に関連するデータを含んでいる。このデータは図８Ａで示されているターゲット情報を含むか、および／または他の事柄に関連してもよい。例えばフィールド７４０ｄは広告のディスプレイ（例えば寸法および位置付け）に関する情報を含んでいる。フィールド７４０ｅは広告が表示されるべきときに関する情報を含んでいる。フィールド７４０ｆは広告業者が広告を表示させるために支払おうとするレートに関する情報を含んでいる。レート情報は図８Ａに関して説明されている加重要素を含んでいる。フィールド７４０ｇはイメージ広告中の画素の色および位置に関する情報のような広告自体を含んでいる。
【００９２】
図９はブラウザソフトウェアにより広告を挿入および表示するための本発明の第１の実施形態によるプロセスのフロー図を示している。プロセスフロー図はステップ５１００で読者および／またはブラウザソフトウェアのユーザによる所望の内容の識別で開始する。これは読者および／またはブラウザソフトウェアユーザによりハイパーリンクにおいてマウスのクリックを受信することを含む任意の既知の機構により行われることができる。所望の内容を識別する信号はブラウザソフトウェアにより送信され、広告は図７のネットワーク６２０  のようなネットワーク方法により帰還される。ステップ５２００でこの広告はブラウザソフトウェアにより受信され、所望の内容内に挿入される。本発明によれば、所望の内容はネットワーク６２０  で送信される必要はない。例えば、これは読者および／またはブラウザソフトウェアユーザのホームコンピュータにおけるコンピュータの読取り可能な媒体に記憶されることができる。ステップ５１００で一度内容が識別されると、プロセスフロー図は識別された内容の起点にかかわりなく、ステップ５２００で進行できる。その後、ステップ５３００で、内容および挿入された広告は電子メッセージを示すために幾つかの表示装置で共通して消費者に転送される。
【００９３】
図１０はブラウザソフトウェアにより広告を挿入し表示するための本発明の第２の実施形態によるプロセスフロー図を示しており、ここでは内容の人口統計もまた識別される。これはステップ６２００で行われ、ここではステップ６１００で識別される内容を読む可能性のある人口の人口統計も識別される。内容の人口統計が一度識別されると、これは識別された内容と共にステップ６４００で転送されるターゲット広告を与えるためにステップ６３００で使用されることができる。
【００９４】
図１１はブラウザソフトウェアにより広告を挿入し表示するための本発明の第３の実施形態によるプロセスフロー図を示しており、ここでは広告業者は内容人口統計または内容内に挿入するための広告を識別するためにブラウザソフトウェアの供給業者（またはブラウザソフトウェアにより使用されるデータベースの供給業者）により直接料金請求される。広告業者の料金請求はステップ７５００で、好ましくは挿入された広告を有する内容を読者またはウェブブラウザのユーザへ転送後、実行される。この図面で説明されているように、内容の人口統計はステップ７２００で識別される。このステップ７２００は広告業者に料金請求する必要はなく、ブラウザソフトウェア供給業者、またはブラウザソフトウェアによりアクセスされる１以上のデータベースを維持するエンティティが収益を生むことができることを示すために含まれる。
【００９５】
図１２はブラウザソフトウェアにより広告を挿入し表示するための本発明の第４の実施形態によるプロセスフロー図を示しており、ここでは先に説明した静止およびダイナミック広告配送方法をさらに説明している。ステップ８５００は静止配送方法を実施する１方法を示しており、この方法によって広告業者は、図７の広告データベースシステム６１０のようなブラウザソフトウェアの供給業者またはブラウザソフトウェアによりアクセスされるデータベースのメンテナンス業者との契約を予め交渉する。この場合、広告は例えば図７の内容データベースシステム６２３  から特定の内容がアクセスされた後、図７の広告データベースシステム６１０  から直接選択される。したがって、図７の内容データベースシステム６２３  と広告データベースシステム６１０  の両者は同一のエンティティにより動作されることができる。その代わりに、選択された内容に対する広告が予め交渉されていないならば、複数の個別の広告業者のデータベースシステム６５０  および／または広告ブローカーデータベースシステム６４０  の検索を含むダイナミックな挿入が実行されることができる。広告の実際の記憶位置は、広告の関連が交渉された時間によって強制されず、これらの例は本発明の１つの例示的な実施形態を提供するために与えられている。
【００９６】
図１３は図７で示された多数のデータベースシステムが本発明により実行されることができる例示的なコンピュータシステム８０１  を示している。例えばコンピュータシステム８０１  は広告データベースシステム６１０  、内容データベースシステム６２３  、ブラウザ対話サイト６３０  、広告データベースシステム６４０  および／または図７の個別の広告業者のデータベースシステム６５０  を代わりに形成できる。この理由で、コンピュータシステム８０１  は特有の参照符号を使用して説明される。別の図面の一部に類似するコンピュータシステム８０１  の一部を説明するとき、これはテキストで明確に説明されよう。コンピュータシステム８０１  はバス８０３  または情報を通信する他の通信機構と、情報処理のためにバス８０３  に結合されたプロセッサ８０５  を含んでいる。プロセッサ８０５  は図７で示されている任意のまたは全てのプロセッサ６１１  、６２１  、６３１  、６４１  および／または６５１  を形成することができる。コンピュータシステム８０１  は、情報およびプロセッサ８０５  により実行される命令を記憶するためにランダムアクセスメモリ（ＲＡＭ）または他のダイナミック記憶装置（例えばダイナミックＲＡＭ（ＤＲＡＭ）、静止ＲＡＭ（ＳＲＡＭ）、同期ＤＲＡＭ（ＳＤＲＡＭ）、フラッシュＲＡＭ）等のバス８０３  に結合された主メモリ８０７  を含んでいる。さらに、主メモリ８０７  はプロセッサ８０５  により実行される命令の実行中に一時的変数または他の中間情報を記憶するために使用されてもよい。コンピュータシステム８０１  は静止情報およびプロセッサ８０５  に対する命令を記憶するためにバス８０３  に結合されている読取り専用メモリ（ＲＯＭ）８０９  または他の静的記憶装置（例えばプログラム可能なＲＯＭ（ＰＲＯＭ）、消去可能なＰＲＯＭ（ＥＰＲＯＭ）、電気的に消去可能なＰＲ０Ｍ（ＥＥＰＲＯＭ））をさらに含んでいる。磁気ディスクまたは光ディスクのような記憶装置８１１  が与えられ、情報および命令を記憶するためにバス８０３  に結合されている。記憶装置８１１  は図７の任意の、および／または全てのデータ記憶テーブル６１２ａ、６１２ｂ、６２２ａ、６２２ｂ、６４２ａ、６４２ｂ、６５２ａおよび／または６５２ｂを含むことができる。
【００９７】
コンピュータシステム８０１  はまた特別目的の論理装置（例えば特定用途用集積回路（ＡＳＩＣ）または構成可能な論理装置（例えば論理装置の汎用アレイ（ＧＡＬ）または再プログラム可能なフィールドのプログラム可能なゲートアレイ（ＦＰＧＡ））を含んでもよい。他の取出し可能な媒体装置（例えばコンパクトディスク、テープ、取外し可能な磁気−光媒体）または固定した高密度の媒体駆動装置は適切な装置のバス（例えば小型コンピュータシステムのインターフェース（ＳＣＳＩ）バス、強化された集積装置の電子装置（ＩＤＥ）バス、または超直接的なメモリアクセス（ＤＭＡ）バス）を使用してコンピュータシステム８０１  へ付加されてもよい。このような取外し可能な媒体装置および固定した高密度の媒体駆動装置は図７のデータ記憶テーブル６１２ａ、６１２ｂ、６１２ｃ、６１２ｄ、６２２ａ、６２２ｂ、６４２ａ、６４２ｂ、６５２ａおよび／または６５２ｂを含むことができる。コンピュータシステム８０１  はコンパクトディスク読取り装置、コンパクトディスク読取り装置−書き込み装置ユニット、またはコンパクトディスクジュークボックスを付加的に含んでいてもよく、これらはそれぞれ同一の装置のバスまたは別の装置のバスに接続されてもよい。
【００９８】
コンピュータシステム８０１  はコンピュータユーザに情報を表示するためにバス８０３  により陰極線管（ＣＲＴ）等のディスプレイ８１３  に結合されてもよい。ディスプレイ８１３  は図７の内容表示装置６３３  を形成することができる。ディスプレイ８１３  はディスプレイまたはグラフィックカードにより制御されてもよい。コンピュータシステムは情報およびコマンド選択をプロセッサ８０５  に通信するためキーボード８１５  およびカーソル制御装置８１７  のような入力装置を含んでいる。キーボード８１５  および／またはカーソル制御装置８１７  は、図７の内容リクエスト装置６３２  を形成できる。カーソル制御装置８１７  は方向情報およびコマンド選択をプロセッサ８０５  へ通信しディスプレイ８１３  上のカーソルの動きを制御するために例えばマウス、トラックボールまたはカーソル方向キーである。
【００９９】
コンピュータシステム８０１  は主メモリ８０７のようなメモリに含まれる１以上の命令の１以上のシーケンスを実行するプロセッサ８０５  に応答して本発明の処理ステップの一部またはその全てを実行する。このような命令は記憶装置８１１  のような別のコンピュータの読取り可能な媒体から主メモリ８０７へ読取られてもよい。マルチ処理アレンジメント中の１以上のプロセッサも主メモリ８０７  中に含まれている命令のシーケンスを実行するために使用されてもよい。別の実施形態では、ハードワイヤ回路がソフトウェア命令との組合わせの代りにまたはその組合わせで使用されてもよい。したがって実施形態はハードウェア回路とソフトウェアの任意の特別な組合わせに限定されない。
【０１００】
前述したように、システム８０１  は、少なくとも１つのコンピュータ読取り可能な媒体、または本発明の考察にしたがってプログラムされ、データ構造、テーブル、記録、またはここで説明した他のデータを記憶するためのメモリを含んでいる。コンピュータの読取り可能な媒体の例は、コンパクトディスク、ハードディスク、フロッピー（登録商標）ディスク、テープ、磁気−光媒体、ＰＲＯＭ（ＥＰＲＯＭ、ＥＥＰＲＯＭ、フラッシュＥＰＲＯＭ）、ＤＲＡＭ、ＳＲＡＭ、ＳＤＲＡＭ等である。任意の１つまたはコンピュータ読取り媒体の組合わせに記憶されているものとして、本発明はコンピュータシステム８０１  を制御し、本発明を実行するために１または複数の装置を駆動し、コンピュータシステム８０１  が人間のユーザと対話することを可能にするソフトウェアを含んでいる。このようなソフトウェアは装置駆動装置、オペレーティングシステム、開発ツール、アプリケーションソフトウェアを含んでいるが、それに限定されない。このようなコンピュータの読取り可能な媒体はさらに本発明の実行で行われる処理の全てまたは一部分（処理が分配される場合）を行うための本発明のコンピュータプログラムプロダクトを含んでいる。
【０１０１】
本発明のコンピュータコード装置は、スクリプト、インタープリタ、ダイナミックリンクライブラリ、ジャバクラス、および完全な実行プログラムを含む任意の解釈されたまたは実行可能なコード機構であってもよい。さらに本発明の処理の一部はさらに良好な性能、信頼性および／または価格で分配されることができる。
【０１０２】
用語“コンピュータの読取り可能な媒体”はここではプロセッサ８０５  へ実行するための命令を与えることに参加する任意の媒体を指している。コンピュータの読取り可能な媒体は多くの形態を取ってもよく、不揮発性媒体、揮発性媒体、伝送媒体を含んでいるがそれらに限定されない。不揮発性媒体は例えば記憶装置８１１  のような光学的、磁気ディスク、磁気−光ディスクを含んでいる。揮発性媒体は主メモリ８０７  等のダイナミックメモリを含んでいる。伝送媒体はバス８０３  を有するワイヤを含めた同軸ケーブル、銅ワイヤ、光ファイバを含んでいる。また伝送媒体は無線波および赤外線データ通信中に発生されるような音波または光波の形態を取ってもよい。
【０１０３】
コンピュータの読取り可能な媒体の共通の形態は例えばハードディスク、フロッピー（登録商標）ディスク、テープ、磁気−光ディスク、ＰＲＯＭ（ＥＰＲＯＭ、ＥＥＰＲＯＭ、フラッシュＥＰＲＯＭ）、ＤＲＡＭ、ＳＲＡＭ、ＳＤＲＡＭまたは任意の他の磁気媒体、コンパクトディスク（例えばＣＤ−ＲＯＭ）または任意の他の光媒体、パンチカード、ペーパーテープ、または穴のパターンを有する他の物理的な媒体、搬送波（以下説明する）またはコンピュータが読取りできる任意の他の媒体を含んでいる。
【０１０４】
コンピュータの読取り可能な媒体の種々の形態はプロセッサ８０５  へ実行するための１以上の命令の１以上のシーケンスを実行することに関係される。例えば命令は最初に遠隔コンピュータの磁気ディスクで行われてもよい。遠隔コンピュータは本発明の全てまたは一部を遠隔的に実行するための命令をダイナミックメモリへ負荷し、モデムを使用して電話線で命令を送信できる。コンピュータシステム８０１  に対するローカルなモデムは電話線でデータを受信し、データを赤外線信号へ変換するために赤外線送信機を使用する。バス８０３  に結合された赤外線検出器は赤外線信号で伝播されるデータを受信し、バス８０３  にデータを与える。バス８０３  はデータを主メモリ８０７  へ伝送し、そこからプロセッサ８０５  は命令を検索し実行する。主メモリ８０７  により受信される命令はプロセッサ８０５  による実行前または実行後に記憶装置８１１  に選択的に記憶されてもよい。
【０１０５】
コンピュータシステム８０１  はバス８０３  に結合されている通信インターフェース８１９  も含んでいる。通信インターフェース８１９  は構内通信網８２３  に接続されているネットワークリンク８２１  へ２方向データ通信結合を行う。例えば通信インターフェース８１９  は任意のパケット交換構内通信網（ＬＡＮ）に取付けるネットワークインターフェースカードであってもよい。別の例として、通信インターフェース８１９  は非対称デジタル加入者線（ＡＤＳＬ）カード、統合サービスデジタル網（ＩＳＤＮ）カードまたは、対応するタイプの電話線へデータ通信接続を行うモデムであってもよい。無線リンクも構成されることができる。任意のこのような構造では、通信インターフェース８１９  は種々のタイプの情報を表すデジタルデータ流を伝播する電気、電磁または光信号を送信し受信する。ネットワークリンク８２１  は典型的に１以上のネットワークを経て他のデータ装置へデータ通信を行う。例えばネットワークリンク８２１  は、構内通信網８２３  （例えばＬＡＮ）または、通信ネットワーク８２７  による通信サービスを行うサービスプロバイダにより動作される装置を経てコンピュータへ接続を行ってもよい。通信ネットワーク８２７  は図７のネットワーク６２０  を形成できる。幾つかの実施形態では、構内通信網８２３  と通信ネットワーク８２７  は好ましくはデジタルデータ流を伝送する電気、電磁または光信号を使用する。種々のネットワークを通る信号および、ネットワークリンク８２１  上の信号およびデジタルデータをコンピュータシステム８０１  へまたはそこから伝播するコンピュータ通信インターフェース８１９  を通る信号は情報を転送する搬送波の例示的な形態である。コンピュータシステム８０１  はネットワーク、ネットワークリンク８２１  、通信インターフェース８１９  を経て通知を送信し、プログラムコードを含むデータを受信する。
【０１０６】
本発明の特別な実施形態を示し説明したが、多くの変更および変形が当業者により行われ、添付の特許請求の範囲に記載された本発明の技術的範囲内に入る全てのこれらの変更および変形をカバーすることを意図されることが認識されるであろう。
【０１０７】
明らかに、本発明の多くの変更および変形は前述の考察の範囲において可能である。それ故、添付の特許請求の範囲の技術的範囲内で、本発明は特別にここで説明した以外にも実行されてもよいことが理解されるであろう。
【図面の簡単な説明】
【０１０８】
【図１】インターネットからダウンロードされた情報の表示に使用されるコンピュータスクリーン上で表示される例示的なインターネットブラウジングブックの斜視図と、ブックで前のページ番号をジャンプするプロセス中にコンピュータスクリーン上で表示される例示的なインターネットブラウジングブックの斜視図と、次のページへフリッピングするプロセスでコンピュータスクリーン上で表示される例示的なインターネットブラウジングブックの斜視図と、多数のページを同時にフリッピングするプロセス中にコンピュータスクリーン上で表示される例示的なインターネットブラウジングブックの斜視図。
【図２Ａ】情報がインターネットからダウンロードされる前にブラウジングセッッションの丁度開始前の例示的なインターネットブラウジングブックの平面図。
【図２Ｂ】ＵＲＬのエントリに応答してインターネットから幾らかの新しい情報をダウンロードするプロセスにおける例示的なインターネットブラウジングブックの平面図。
【図２Ｃ】例示的なインターネットブラウジングブックのページのハイパーリンクの選択および付勢に応答してインターネットから幾らかの新しい情報をダウンロードするプロセスにおける例示的なインターネットブラウジングブックの平面図のシーケンス。
【図３】複数のページのインターネット情報を捕捉した後の例示的なインターネットブラウジングブックの平面図と、複数のフリップして開いたページを示し、その幾つかは広告を含んでいる例示的なインターネットブラウジングブックの平面図。
【図４】インターネットにおける例示的な広告整合／転送システムの種々のコンポーネントを示す図。
【図５】広告のリクエストに使用される例示的な広告リクエストインターフェースを示す図と、広告の提供に使用される例示的な広告提供インターフェースを示す図。
【図６】既存のＯＥＢフォーマットへの拡張であるブックパラメータの表示およびコード化用の広告システムと共に使用される例示的なフォーマットを示す図。
【図７】インターネットブラウザを使用して広告を提供する代わりのおよび／または補足的な例示的システムを示す図。
【図８】現在のシステムで使用するための例示的なデータ記録を示す図。
【図９】ブラウザソフトウェアによる広告の挿入および表示のための本発明の第１の実施形態にしたがったプロセスのフロー図。
【図１０】ブラウザソフトウェアによる広告の挿入および表示のための本発明の第２の実施形態にしたがったプロセスのフロー図。
【図１１】ブラウザソフトウェアによる広告の挿入および表示のための本発明の第３の実施形態にしたがったプロセスのフロー図。
【図１２】ブラウザソフトウェアによる広告の挿入および表示のための本発明の第４の実施形態にしたがったプロセスのフロー図。
【図１３】例えば図７で示されている多数のデータベースシステムが構成されることができる例示的なコンピュータシステムを示す図。
【図１４】内容を消費者へ運ぶ参加者とこれらの参加者の既知の広告方法を示す表。
【符号の説明】
【０１０９】
１００、２００、３００  ブック
４００  広告整合／転送システム
４０３  インターネット
４１０  広告入口サイト
４０４  ブックサイト
６１０  広告データベースシステム
８０１  コンピュータシステム
【図１】
2006350331.tif 000003
【図２Ａ】
2006350331.tif 000004
【図２Ｂ】
2006350331.tif 000005
【図２Ｃ】
2006350331.tif 000006
【図３】
2006350331.tif 000007
【図４】
2006350331.tif 000008
【図５】
2006350331.tif 000009
【図６】
2006350331.tif 000010
【図７】
2006350331.tif 000011
【図８】
2006350331.tif 000012
【図９】
2006350331.tif 000013
【図１０】
2006350331.tif 000014
【図１１】
2006350331.tif 000015
【図１２】
2006350331.tif 000016
【図１３】
2006350331.tif 000017
【図１４】
2006350331.tif 000018